(57)【要約】実施形態例において、拡張可能な動画機能をナビゲートするための、コンピュータによって実施される方法、装置および、システムが提供される。これらは、バナーインタフェース領域に対する第一の要求を受領すべく動作することが可能である。これに応じて、バナーインタフェース領域が動画コンテンツと共に生成される。バナーインタフェース領域は、様々な拡張可能な動画機能にマッピングするグラフィカルユーザインタフェースを含む。動画機能のうちの一つにアクセスするための第二の要求を受領可能であり、選択された拡張可能な動画機能が実行される。さらなる方法、装置および、システムが開示される。
2010538579.tif 000002
【特許請求の範囲】
【請求項１】
コンピュータによって実施される方法であって、
バナーインタフェース領域に対する第一の要求を受領すること、
対応する拡張可能な複数の動画機能へマッピングする複数のグラフィカルユーザインタフェースを含む前記バナーインタフェース領域を、動画コンテンツと共に生成すること、
前記拡張可能な複数の動画機能のうちの選択された一つにアクセスするための第二の要求を受領すること、および
前記拡張可能な複数の動画機能のうちの前記選択された一つを実行することを含む、方法。
【請求項２】
請求項１の方法であって、さらに、
遠隔制御装置またはゲームコントローラ装置のうちの一つから前記第一の要求を受領すること、を含む方法。
【請求項３】
請求項１の方法であって、さらに、
前記複数のグラフィカルユーザインタフェースを、メインのグラフィカルユーザインタフェース領域および副次的なグラフィカルユーザインタフェース領域の集合として生成すること、を含む方法。
【請求項４】
請求項１の方法であって、さらに、
前記複数のグラフィカルユーザインタフェースを、前記バナーインタフェース領域の境界の少なくとも一つの内側に、または、前記バナーインタフェース領域の境界の付近に、生成すること、を含む方法。
【請求項５】
請求項１の方法であって、さらに、
前記複数のグラフィカルユーザインタフェースのうちのいくつかを、アイコンまたは機能に従って名づけられたタブのうちの一つとして、生成することを含む、方法。
【請求項６】
請求項１の方法であって、さらに、
前記グラフィカルユーザインタフェースのうちのいくつかを、動きを与えられたアイコンまたはタブとして生成すること、を含む方法。
【請求項７】
請求項１の方法であって、さらに、
前記複数のグラフィカルユーザインタフェースのうちのいくつかを、視聴者機能またはシステム機能のうちの少なくとも一つとして生成すること、を含む方法。
【請求項８】
請求項７の方法であって、
前記視聴者機能は、番組検索機能、先行番組機能、局関連番組リスト、または録画番組リストのうちの少なくとも一つ、を含む方法。
【請求項９】
請求項７の方法であって、
前記システム機能は、プロファイル設定、プロファイル編集、装置オプション設定、または装置オプション編集のうちの少なくとも一つ、を含む方法。
【請求項１０】
請求項１の方法であって、さらに、
前記拡張可能な複数の動画機能のうちの前記選択された一つの実行に応じて、追加の拡張可能な動画機能の実行をトリガすること、を含む方法。
【請求項１１】
請求項１の方法であって、前記動画コンテンツと共に行われる前記バナーインタフェース領域の生成することはさらに、
前記動画コンテンツと前記バナーインタフェース領域とを交互に生成し、前記動画コンテンツと前記バナーインタフェース領域は同時に生成しないこと、を含む方法。
【請求項１２】
システムであって、
動画コンテンツを表示するための表示装置、および
前記表示装置と通信可能に接続された計算装置であって、対応する拡張可能な複数の動画機能にマッピングする複数のグラフィカルユーザインタフェースを含むバナーインタフェース領域に対する第一の要求を受領し、前記バナーインタフェース領域を動画コンテンツと共に前記表示装置上に生成する、前記拡張可能な複数の動画機能のうちの選択された一つにアクセスするための第二の要求を受領する、および、前記拡張可能な複数の動画機能のうちの前記選択された一つを実行する計算装置、を含むシステム。
【請求項１３】
請求項１２のシステムであって、さらに、
前記第一の要求および前記第二の要求を開始する遠隔制御装置、を含むシステム。
【請求項１４】
請求項１３のシステムであって、
前記複数のグラフィカルユーザインタフェースは、前記遠隔制御装置の対応する複数のキーと直接的に関連付けられているシステム。
【請求項１５】
請求項１２のシステムであって、
前記計算装置はクライアントおよびサーバのうちの一つ、を含むシステム。
【請求項１６】
請求項１２のシステムであって、
前記計算装置は携帯電話およびセットトップボックスのうちの一つを含むシステム。
【請求項１７】
一以上のプロセッサによって実行された場合に、前記一つ以上のプロセッサに方法を実行させる命令を有するマシン読取り可能な媒体であって、前記方法は、
バナーインタフェース領域に対する第一の要求を受領すること、
対応する拡張可能な複数の動画機能にマッピングする複数のグラフィカルユーザインタフェースを含む前記バナーインタフェース領域を動画コンテンツと共に生成すること、
前記拡張可能な複数の動画機能のうちの選択された一つにアクセスするための第二の要求を受領すること、および
前記拡張可能な複数の動画機能のうちの前記選択された一つを実行することを含む方法である媒体。
【請求項１８】
請求項１７の媒体であって、
前記バナーインタフェース領域の外観は、前記第一の要求および複数の前記第二の要求を使ってカスタマイズ可能である媒体。
【請求項１９】
請求項１７の媒体であって、前記方法はさらに、
前記複数のグラフィカルユーザインタフェースのうちの一つを番組検索グラフィカルユーザインタフェースとして生成すること、および
前記番組検索グラフィカルユーザインタフェースの選択を受領したことに応じて、新しい検索、お気に入りの検索、および最近の検索を含むリストを生成することを含む方法である媒体。
【請求項２０】
請求項１７の媒体であって、前記方法はさらに、
前記複数のグラフィカルユーザインタフェースのうちの一つを番組検索グラフィカルユーザインタフェースとして生成すること、および
前記番組検索グラフィカルユーザインタフェースの選択の受領に応じて、検索要求の一部として入力されるべき選択可能な文字の集まりを生成することを含む方法である媒体。
【請求項２１】
請求項１７の媒体であって、前記方法は、
前項複数のグラフィカルユーザインタフェースのうちの一つを先行番組グラフィカルユーザインタフェースとして生成すること、および
先行上映番組、前記動画コンテンツに関連付けられた先行上映番組、放送局に関連付けられた先行上映番組、または番組視聴者と関連付けられた先行上映番組のリストを、前記先行番組グラフィカルユーザインタフェースの選択の受領に応じて生成すること、を含む方法である媒体。
【発明の詳細な説明】
【技術分野】
【０００１】
（本文中に技術分野に該当する記載なし。)
【背景技術】
【０００２】
動画表示は、動画コンテンツを含めた多種なメディアを表示するために用いることが可能である。動画コンテンツは、バナーインタフェース領域と関連して表示される場合がある。
【図面の簡単な説明】
【０００３】
本開示は、限定ではなく例示として、添付の図面に示される。
【図１】実施形態例に従った、動画表示システムのブロック図である。
【図２】実施形態例に従った、動画機能をナビゲートする様々な方法のフロー図である。
【図３Ａ】実施形態例に従った、デフォルトのバナーインタフェース領域の概略図である。
【図３Ｂ】実施形態例に従った、デフォルトのバナーインタフェース領域の概略図である。
【図４Ａ】実施形態例に従った、拡張されたバナーインタフェース領域の概略図である。
【図４Ｂ】実施形態例に従った、拡張されたバナーインタフェース領域の概略図である。
【図５Ａ】実施形態例に従った、先行動画機能と関連付けられたバナーインタフェース領域の概略図である。
【図５Ｂ】実施形態例に従った、先行動画機能と関連付けられたバナーインタフェース領域の概略図である。
【図６Ａ】実施形態例に従った、検索動画機能と関連付けられたバナーインタフェース領域の概略図である。
【図６Ｂ】実施形態例に従った、検索動画機能と関連付けられたバナーインタフェース領域の概略図である。
【図６Ｃ】実施形態例に従った、検索動画機能と関連付けられたバナーインタフェース領域の概略図である。
【図７Ａ】実施形態例に従った、プロファイル動画機能と関連付けられたバナーインタフェース領域の概略図である。
【図７Ｂ】実施形態例に従った、プロファイル動画機能と関連付けられたバナーインタフェース領域の概略図である。
【図８】実施形態例に従った、計算装置のある実施形態例におけるマシンのブロック図である。
【発明を実施するための形態】
【０００４】
動画コンテンツと関連して表示されるバナーインタフェース領域には、多様な動画機能にマッピングする（対応付ける）追加のＧＵＩ領域があっても構わない。そのような動画機能の例は、テレビ番組の検索、先行して視聴されたテレビ番組のリスト化、およびその他の動画機能を含む。下記でさらに詳細に説明されるように、視聴者はバナーインタフェース領域内をナビゲート（移動）して動画機能にも、システムサービスにもアクセスすることができる。実施形態例では、表示される動画コンテンツに関連付けられている全ての動画機能はバナーインタフェース領域内でアクセス可能であってよい。別の実施形態例では、動画機能の一部分をバナーインタフェース領域内でアクセス可能であってよい。
＜システムと方法の例＞
【０００５】
図１は、実施形態例に従った動画表示システム１００のブロック図である。動画表示システム１００は、動画表示装置１０２、計算装置１０５、および遠隔制御装置１０６を含む。計算装置１０５は、動画表示装置１０２と通信している。計算装置１０５の例としては、ケーブルボックス、携帯電話、パーソナルデジタルアシスタント、ビデオ表示装置、デジタルビデオレコーダ、デジタルオーディオプレイヤー、デジタルメディアレシーバー、ゲームコンソール、クライアント−サーバシステムにおけるリモートサーバ、および他の計算装置を含み得る。計算装置１０５は、動画表示装置１０２上にバナーインタフェース領域３００を動画コンテンツと共に生成する（レンダリングする）ように構成されている。下記で詳細に説明され、様々な図に示されるように、バナーインタフェース領域３００は、様々な動画機能にマッピングするＧＵＩ領域を含む。結果として、視聴者は、例えば遠隔制御装置１０６を使って、バナーインタフェース領域３００内をナビゲートして多様な動画機能にアクセスすることができる。
【０００６】
図２は、実施形態例に従った、動画機能をナビゲートする様々な方法２００のフロー図である。実施形態例において、方法２００は、図１の計算装置１０５といった計算装置中で使用されるＧＵＩ生成モジュールで実施することが可能である。図２に示されるように、バナーインタフェース領域に対する要求はブロック２０２で受領される。視聴者は例えば遠隔制御装置やその他の入力装置を通して要求を開始する。例えば、視聴者は、要求を開始するため、遠隔制御装置の「情報」キーを選択することができる。この遠隔制御装置で使用可能なキーの他の例としては、「バック」キーや「エグジット」キー、その他のキーを含む。別の例では、モバイル装置の数字キーあるいはコンピュータのキーボードのキーを視聴者が選択して要求を開始することができる。
【０００７】
要求の受領に応じて、ブロック２０４にて、バナーインタフェース領域が動画コンテンツと共に生成される。一般的に、バナーインタフェース領域はＧＵＩを有す。バナーインタフェース領域は、長方形、正方形、円形、三角形、その他の形状といった、様々な形状で形成されてもよい。実施形態例では、バナーインタフェース領域は、縦横比の高い形状を有してもよい。縦横比の高い形状の例は、横に長く縦に短い長方形を含み得る。逆に、縦横比の高い形状の例は、縦に長く横に短い長方形も含むことができる。バナーインタフェース領域は、動画表示装置の縦や横いっぱいを占めていてもよい。あるいは、バナーインタフェース領域は、動画表示装置の縦や横の一部を占めていてもよい。
【０００８】
バナーインタフェース領域と他のＧＵＩ領域に動きを与えてもよい。実施形態例において、バナーインタフェース領域は動画コンテンツと共に生成される、または表示される。例えば、バナーインタフェース領域は、視聴者が動画コンテンツを視聴し続けながらそれと同時にバナーインタフェース領域を使って動画機能から動画機能へとナビゲートしていくことができるように、動画コンテンツと一体化されてもよい。別の実施形態例では、バナーインタフェース領域は、動画コンテンツとは共には生成されないまたは動画コンテンツと同時には表示されない。例えば、バナーインタフェース領域が携帯電話の表示装置といった小型の動画表示装置に表示されているときには、バナーインタフェース領域は動画コンテンツと同時に生成されなくてもよい。
【０００９】
バナーインタフェース領域は、一つ以上の動画機能にマッピングする一つ以上のＧＵＩを含む。例えば、バナーインタフェース領域はタブやアイコンを含んでもよい。おのおののタブまたはアイコンは、一つ以上の動画機能にマッピングすることができる。動画機能は、動画の表示に関連付けられた種々の命令および／または操作を含んでもよい。例えば、動画機能は、テレビ番組の検索といった、視聴者機能を含んでもよい。別の動画機能は、別々の視聴者のためのプロファイル設定といった、システム機能を含んでもよい。動画機能の他の例は、先行して視聴されたテレビ番組のリスト化、特定のテレビ局と関連付けられたテレビ番組のリスト化、録画されたテレビ番組のリスト化、ケーブルボックスと関連付けられたオプション設定、および、他の動画機能などが挙げられる。実施形態例では、バナーインタフェース領域は、計算装置によって提供される全ての動画機能にマッピングするＧＵＩを含んでもよい。したがって視聴者はバナーインタフェース領域を介して全ての動画機能にアクセスすることができる。別の実施形態例では、バナーインタフェースは、計算装置によって提供される動画機能の一部にマッピングするＧＵＩを含んでもよい。
【００１０】
ＧＵＩとそれに関連付けられたバナーインタフェース領域は、様々な方法で表示が可能であることを記しておく。ある実施形態例では、バナーインタフェース領域中に含まれるべきであるが、ＧＵＩは、バナーインタフェース領域の境界内に置かれる。別の実施形態例では、バナーインタフェース領域中に含まれるべきであるが、ＧＵＩは、バナーインタフェース領域の境界に隣接して置かれる。例えば、長方形のタブの形状であるＧＵＩはバナーインタフェース領域に付け添えることができる。バナーインタフェース領域に含まれる複数のＧＵＩが全て同時に表示されてもよい。あるいは、複数のＧＵＩの一部が別のＧＵＩ内で実施されてもよい。例えば、第一のＧＵＩを選択することが第二のＧＵＩの表示をトリガしてもよい。
【００１１】
ここでも図２を参照すると、ブロック２０６で、動画機能にアクセスするための別の要求が受理されることも可能である。視聴者は、バナーインタフェース領域に含まれるＧＵＩを選択することでこの要求を開始することができる。視聴者は、例えば遠隔制御装置といった入力装置を使ってこのＧＵＩにナビゲートすることができる。実施例では、視聴者は、遠隔制御装置の一部を成す方向キーを使ってバナーインタフェース領域内に含まれる様々なＧＵＩにナビゲートすることができる。あるいは、視聴者は、ナビゲーションのために遠隔制御装置の一部を成す専用の制御キーを使うこともできる。
【００１２】
動画機能ナビゲーションのためのシステムに、例えば４つよりも多い方向ボタンを有する制御装置といった、ゲーム用に設計された制御装置を含む、様々な遠隔制御装置が使用可能である。このような制御装置は、例えばコンパスの方位を使って「北」、「北東」、「東」、「南東」、「南」、「南西」、「西」、及び「北西」といったラベル付けをされた方向ボタンを有してもよい。ブロック２０６で要求が受理されたあと、選択されたＧＵＩに関連付けられた動画機能はブロック２０８で実行される。
【００１３】
図３Ａおよび図３Ｂは、おのおの、実施形態例に従った、デフォルトのバナーインタフェース領域３００および３５２の概略図である。図３Ａに示されるように、デフォルトのバナーインタフェース領域３００は、メインＧＵＩ領域３０２と番組ＧＵＩ領域３０４を持つ。デフォルトのバナーインタフェース領域３００は、バナーインタフェース領域が最初に呼び出されたときに表示または生成されるようにしてもよい。例えば、視聴者は、動画コンテンツを視聴しているときに、遠隔操作装置の「情報」キーを選択するか、（チャンネル上下機能を選択する機能として、またはチャンネル番号を入力するかして）チャンネルを変えることでバナーインタフェース領域３００を呼び出すことができる。図３Ａに示す実施形態例では、メインＧＵＩ領域３０２は現在表示されている動画コンテンツに関する情報を含むことが可能である。情報は、テレビ番組のタイトル、テレビ番組の短い説明、テレビ番組を放送しているチャンネル、テレビ番組の継続時間、および、テレビ番組のカテゴリを含むことができる。さらに、デフォルトのバナーインタフェース領域３００は、メインＧＵＩ領域３０２の内容が何であるかを表した番組ＧＵＩ領域３０４を、長方形のタブの形状で有してもよい。この、内容が何であるかを表すことには、関連付けられたメインＧＵＩ領域３０２の説明を含んでもよい。例えば、番組ＧＵＩ領域３０４には「番組」と書かれており、これは、隣接するメインＧＵＩ領域３０２に含まれる情報が何であるかを、現在表示中の動画コンテンツと関連付けて表す。
【００１４】
上記したように、バナーインタフェース領域３００、ＧＵＩ領域３０２および３０４は、様々な形態とサイズをとることができる。図３Ｂはバナーインタフェース領域３５２の別の実施形態例を示す。図３Ｂに示すように、バナーインタフェース領域３５２は、メインＧＵＩ領域３５６と番組ＧＵＩ領域３５４を有する。図３ＡのメインＧＵＩ領域３０２と同様に、メインＧＵＩ領域３５６も現在表示中の動画コンテンツに関する情報を含む。しかし、図３Ａに示されるタブ型の番組ＧＵＩ領域３０４とは違い、図３Ｂの番組ＧＵＩ領域３５４は、機械の歯車に似た形のアイコンである。
【００１５】
図３Ｂに示されるように、実施形態例では、バナーインタフェース３５２は動画コンテンツ３５０と共に生成される。バナーインタフェース領域３５２は、動画表示装置の視聴エリア内の様々な場所に表示されてもよい。例えば、図３Ｂに示されるように、バナーインタフェース領域３５２は動画コンテンツ３５０内に表示されてもよく、視聴エリア内の低い部分に置かれている。他の置き場所の例としては、視聴エリアの中央、視聴エリアの上１／４の部分、および、その他の場所が挙げられる。別の実施例では、バナーインタフェース領域３５２は、視聴エリアの（例えば、動画コンテンツの縁にそった部分、または視聴エリアの周辺部といった）余白に表示されてもよい。あるいは、バナーインタフェース領域３５２は、バナーインタフェース領域が動画コンテンツ３５０を隠さないように表示されてもよい。余白は、視聴エリアの周辺部全てに渡っても、視聴エリアの一部に渡ってもよい。
【００１６】
図４Ａおよび４Ｂは、おのおの、実施形態例に従った、拡張されたバナーインタフェース領域３００および３５２を概略図である。図４Ａに示されるように、拡張されたバナーインタフェース領域３００は、メインＧＵＩ領域３０２と番組ＧＵＩ領域３０４を含む。加えて、バナーインタフェース領域３００に含まれるのは、先行ＧＵＩ領域４０１、検索ＧＵＩ領域４０２、プロファイルＧＵＩ領域４０３、およびオプションＧＵＩ領域４０４である。長方形のタブの形状であるＧＵＩ領域４０１−４０４は、入力装置からの命令の受理に応じて、または、バナーインタフェース領域３００内のＧＵＩ（図示せず）の選択に応じて、作成される。実施例では、ＧＵＩ領域４０１−４０４は、遠隔操作装置からの「情報」キーの２度目の選択の受信に応じて作成されてもよい。ＧＵＩ領域４０１−４０４を作成するにあたっては、これらＧＵＩ領域が、水平方向４５０および４５１に沿って外側に向かって拡張するように動きを与えてもよい。例えば、視聴者が２度目の「情報」キーの選択をするときに、先行ＧＵＩ領域４０１は水平方向４５０に沿って外側に向かって拡張する。同様に、視聴者が２度目の「情報」キーの選択をするときに、ＧＵＩ領域４０２−４０４は方向４５１に沿って外側に向かって拡張する。ＧＵＩ領域４０１−４０４は、一つ以上の動画機能にマッピングする遠隔制御装置の様々な専用キーのうちの１つの選択に応じて、作成されるようにしてもよい。
【００１７】
ＧＵＩ領域４０１−４０４は、追加の動画機能へのアクセスを与えるために作成または表示される。従って、ＧＵＩ領域４０１−４０４は、現在表示されている動画機能とは別の動画機能にマッピングする。下記にさらに詳細に説明するように、先行ＧＵＩ領域４０１は先行するテレビ番組の化または表示にマッピングし、検索ＧＵＩ領域４０２は、検索動画機能にマッピングし、プロファイルＧＵＩ領域４０３は、編集プロファイル動画機能にマッピングし、オプションＧＵＩ領域４０４は編集オプション動画機能にマッピングする。これら列挙された動画機能は単なる例示であることは理解されよう。ＧＵＩ領域３０４および４０１−４０４は、様々な動画機能にマッピングするおよび／または追加のサブ動画機能へのアクセスを提供してもよい。
【００１８】
ＧＵＩ領域４０１−４０４に関連付けられた動画機能を選択するために、視聴者は入力装置を使うことができる。例えば、視聴者は、遠隔操作装置の矢印キーを使って、ＧＵＩ領域３０４、４０１、４０２、４０３および４０４内をナビゲートし選択することができる。ＧＵＩ領域３０４および４０１−４０４は、これらの矢印キーと関連付けられてもよいし、またＧＵＩ領域が視聴者のキー−メニュー関連付けをより補強するようなやり方で、ＧＵＩ領域３０４および４０１−４０４は表示されてもよい。例えば、図４Ａに示すように、先行ＧＵＩ領域４０１と番組ＧＵＩ領域３０４は、「左」矢印キーと関連付けられ、バナーインタフェース領域３００の左端近くに表示または配置され得る。逆に、検索ＧＵＩ領域４０２、プロファイルＧＵＩ領域４０３、オプションＧＵＩ領域４０４は「右」矢印キーと関連付けられ、バナーインタフェース領域３００の右端近くに表示することも可能である。同様に、ＧＵＩ領域３０４および４０１−４０４が「上」矢印キーと関連付けられている場合には、それらのＧＵＩ領域を、バナーインタフェース領域３００の上端近くに表示することも可能である。ＧＵＩ領域３０４および４０１−４０４が「下」矢印キーと関連付けられている場合には、ＧＵＩ領域３０４および４０１−４０４をバナーインタフェース領域３００の下端近くに表示することも可能である。
【００１９】
図４Ｂは、拡張されたバナーインタフェース領域３５２の別の実施形態例を示す。図４Ｂに示されるように、拡張されたバナーインタフェース領域３５２はメインＧＵＩ領域３５６および番組ＧＵＩ領域３５４を含む。バナーインタフェース領域３５２に追加として含まれるのは、機械の歯車の形であり、かつ、入力装置から受領した命令選択に応じて、またはバナーインタフェース領域３５２内の（図示されていない）ＧＵＩの選択に応じて生成されるＧＵＩ領域４８１−４８４である。ＧＵＩ領域４８１−４８４のおのおのは、先行テレビ番組のリスト化、検索動画機能、編集プロファイル動画機能、あるいは編集オプション動画機能といった、様々な動画機能にマッピングすることができる。
【００２０】
ＧＵＩ領域４８１−４８４と関連付けられている動画機能を選択するために、視聴者は入力装置を使うことができる。例えば、視聴者は、遠隔操作装置の「左」キーか「右」キーを使って、ＧＵＩ領域４８１−４８４内をナビゲートし、これらのうちの一つを選択することができる。
【００２１】
図５Ａおよび図５Ｂは、おのおの、先行動画機能と関連付けられたバナーインタフェース領域３００および３５２の概略図である。図５Ａに示すように、バナーインタフェース領域３００はメインＧＵＩ領域３０２、番組ＧＵＩ領域３０４、先行ＧＵＩ領域４０１、検索ＧＵＩ領域４０２、プロファイルＧＵＩ領域４０３、およびオプションＧＵＩ領域４０４を含む。
【００２２】
先行動画機能にアクセスするために、視聴者は、例えば遠隔操作装置上の「左」矢印キーを使って、先行ＧＵＩ領域４０１までナビゲートし選択することができる。上で論じたように、先行動画機能または以下に示す様々なその他の動画機能はまた、動画機能にマッピングする遠隔制御装置の様々な専用キーの１つの選択に応じて生成され得る。先行ＧＵＩ領域４０１の選択は、結果として該当する先行動画機能の実行をトリガする。先行動画機能は、先行して放送されたまたは上映されたテレビ番組のリストを与える。これらのテレビ番組は、特定のテレビ番組、特定のテレビ局、特定の視聴者、現在視聴されているテレビ番組に基づく推薦、または他のパラメータと関連付けられていてもよい。例えば、図５Ａに示されるように、視聴者は先行ＧＵＩ領域４０１までナビゲートすることができ、その結果、メインＧＵＩ領域３０２はそのユーザによって視聴されたテレビ番組のリストを表示する。メインＧＵＩ領域３０２でリスト化されているように、これらのテレビ番組は、「スポーツセンター」、「サンホセグランプリ」、および「プラネットアース」を含む。視聴者はさらに、遠隔操作装置の「上」矢印キーや「下」矢印キーを使ってリスト内をナビゲートできる。リストは、ＧＵＩ領域３０２中で即座に見ることのできるテレビ番組よりも拡がってもよい。これによって、視聴者は、リストが新しいコンテンツに更新している間に上や下にナビゲートし続けることができる。例えば、ユーザは、「上」矢印キーを使って「スポーツセンター」までナビゲートして別のキーを使ってこの番組「スポーツセンター」を再生（プレイバック）、または、生放送テレビ番組に、チャンネルを合わせ直す（チューンバック）ことができる。
【００２３】
図５Ｂは、先行動画機能と関連付けられたバナーインタフェース領域３５２の別の実施形態例を示す。図５Ｂに示されるように、バナーインタフェース領域３５２はメインＧＵＩ領域３５６、番組ＧＵＩ領域３５４、先行（またはリプレイ）ＧＵＩ領域４８１、検索ＧＵＩ領域４８２、プロファイルＧＵＩ領域４８３、およびオプションＧＵＩ領域４８４を含む。視聴者は、例えば遠隔操作装置上の「左」矢印キーか「右」矢印キーを使って、先行ＧＵＩ領域４８１にナビゲートすることができる。結果として、メインＧＵＩ領域３６５は現在視聴されている特定のテレビ番組に関連付けられているテレビ番組のリストを表示する。ここで、このようなテレビ番組は、例えば２００７年９月１９日から２００７年９月２２日までに放送された先行する回（エピソード）といった、特定のテレビ番組の先行する回である。視聴者は再度遠隔操作装置の「上」矢印キーか「下」矢印キーをさらに使ってリスト内をナビゲートし、別のキーを使って先行する回のうちの一つを選択して再生させることができる。
【００２４】
図６Ａ、６Ｂ、および６Ｃは、おのおの、実施形態例における、検索動画機能に関連付けられたバナーインタフェース領域３０２、３５２、および６０２を概略図である。図６Ａに示されるように、バナーインタフェース領域３００はメインＧＵＩ領域３０２、番組ＧＵＩ領域３０４、先行ＧＵＩ領域４０１、検索ＧＵＩ領域４０２、プロファイルＧＵＩ領域４０３、およびオプションＧＵＩ領域４０４を含む。検索動画機能にアクセスするために、視聴者は、例えば遠隔操作装置上の「左」矢印キーまたは「右」矢印キーを使って、検索ＧＵＩ領域４０２までナビゲートし、それを選択することができる。先行ＧＵＩ領域４０１の選択は、結果として検索動画機能の実行をトリガする。図６Ａの実施形態例において、検索動画機能は、検索可能なテレビ番組とカテゴリのリストを提供する。テレビ番組のリストは、先行する検索から抽出されるか、あるいは、テレビ番組内の語から抽出される。視聴者は、遠隔操作装置の「上」矢印キーか「下」矢印キーをさらに使ってこのリスト内をナビゲートすることができる。例えば、ユーザは「下」矢印キーを使って「サンフランシスコジャイアンツ戦中継．．．」という名の、先行して検索されたテレビ番組までナビゲートして、別のキーを使ってその番組を選択し視聴することができる。
【００２５】
図６Ｂは、検索動画機能と関連付けられた３５２の別の実施形態例を示す。図６Ｂに示されるように、バナーインタフェース領域３５２は、メインＧＵＩ領域３５６、番組ＧＵＩ領域３５４、先行ＧＵＩ領域４８１、検索ＧＵＩ領域４８２、プロファイルＧＵＩ領域４８３、およびオプションＧＵＩ領域４８４を含む。視聴者は、例えば、遠隔操作装置の「左」矢印キーまたは「右」矢印キーを使って検索ＧＵＩ領域４８２までナビゲートすることができる。結果として、メインＧＵＩ領域３５６は、「お気に入りの検索」、「新しい検索」、「最近の検索」といった、異なるタイプの検索のリストを表示することができる。視聴者は、遠隔操作装置の「上」矢印キーまたは「下」矢印キーをさらに使ってリスト内をナビゲートし、別のキーを使って検索のタイプを選択することができる。
【００２６】
図６Ｃに示されるように、（例えば図６Ｂに示されるような）検索のタイプを選択することによって、検索ボックス領域６０２の作成をトリガすることができて、その検索ボックス領域６０２は視聴者が、テレビ番組の名前や、テレビ番組のカテゴリ、テレビ番組の日付といった、またはその他のクエリーといった検索に使われるクエリーの入力できるようにする。実施形態例においては、遠隔操作装置の矢印キーを使って文字盤から文字を選択することでクエリーを視聴者が入力してもよい。例えば、「上」矢印キーまたは「下」矢印キーを使って文字盤を動かしその後「右」矢印キーを使って文字の選択の最終決定を行うことでいったんある文字が選択された状態では、ユーザが「右」矢印キーを押すことに応じて、次の文字盤が表示される。連続した文字盤の一つ一つにおいては、辞書に保存された語における後続文字頻度と関連する先行文字頻度のアルゴリズム的解析に基づいて、文字の選択幅を狭めてもよい。検索語が全て入力されたことは、遠隔操作装置上の「選択」キーの選択を受信することによって把握されるようにしてもよい。
【００２７】
図６Ａおよび図６Ｂにおのおの示されるバナーインタフェース領域３００およびバナーインタフェース領域３５２は様々な検索に使用可能であることに留意されたい。検索のタイプの例は、お気に入り検索を含む。視聴者は、過去に検索したコンテンツと似たタイプを検索したいと思うかもしれない。お気に入り検索では、検索がセーブ（保存）され、後で視聴者はそのセーブされた検索にアクセスすることができる。検索の別の例は、最近の検索である。ここでは、以前の検索の結果の履歴またはリストがセーブされる。最近の検索の選択は、視聴者が以前の検索の結果の履歴を閲覧し、使うことができるようにする。
【００２８】
図７Ａおよび図７Ｂは、おのおの、実施形態例のプロファイル動画機能と関連付けられたバナーインタフェース領域３０２および３５２の概略図である。図７Ａに示されるように、バナーインタフェース領域３００は、メインＧＵＩ領域３０２、番組ＧＵＩ領域３０４、先行ＧＵＩ領域４０１、検索ＧＵＩ領域４０２、プロファイルＧＵＩ領域４０３、およびオプションＧＵＩ領域４０４を含む。プロファイル動画機能にアクセスするために、視聴者は、例えば遠隔操作装置上の「左」矢印キーまたは「右」矢印キーを使ってプロファイルＧＵＩ領域４０３にナビゲートし選択することができる。プロファイルＧＵＩ領域４０３の選択は、結果としてプロファイル動画機能の実行をトリガする。図７Ａの実施形態例では、プロファイル動画機能は、名前のリストを提供する。視聴者は、さらに遠隔操作装置の「上」矢印キーや「下」矢印キーを使ってリスト内をナビゲートできる。例えば、ユーザは、「下」矢印キーを使って「お母さん」までナビゲートし、別のキーで「お母さん」を選択し、視聴することができる。
【００２９】
名前「お母さん」が選択されると、メインＧＵＩ領域３０２は「お母さん」に関連付けられたプレファレンスを提示するようにしてもよい。プレファレンスの例としては、フォントサイズ、ＧＵＩの色、ＧＵＩのテーマ、およびその他の好みが挙げられる。視聴者は、「お母さん」に対するプレファレンスを、プレファレンスのリストから編集することができる。個々のプロファイルは、異なる個数の（例えばＧＵＩ領域４０１、３０４、４０２、４０３および／または４０４といった）表示されるＧＵＩ領域と関連付けられることが可能であることに留意すべきである。例えば、「お母さん」プロファイルを選択すると、結果としてＧＵＩ領域４０１、３０４、４０２、４０３、および／または４０４が表示されるようにしてもよい。他方で、プロファイル「リトルペニー」を選択すると、検索ＧＵＩ領域４０２が取り除かれるように作用してもよい。
【００３０】
図７Ｂは、プロファイル動画機能と関連付けられたバナーインタフェース領域３５２の別の実施形態例を示す。図７Ｂに示されるように、バナーインタフェース領域３５２はメインＧＵＩ領域３５６、番組ＧＵＩ領域３５４、先行ＧＵＩ領域４８１、検索ＧＵＩ領域４８２、プロファイルＧＵＩ領域４８３、およびオプションＧＵＩ領域４８４を含む。視聴者は、例えば遠隔操作装置の「左」矢印キーまたは「右」矢印キーを使ってプロファイルＧＵＩ領域４８３までナビゲートすることができる。結果として、メインＧＵＩ領域３５６は名前のリストを表示する。視聴者は、さらに遠隔制御装置の「上」矢印キーまたは「下」矢印キーを使ってリスト内をナビゲートし、別のキーを使って名前を選択し、その名前に関連付けられたプレファレンスを視聴および／または編集することができる。
【００３１】
図３Ａから図７Ｂは利用可能な全てのレイアウトの選択（オプション）を表したものではないため、数限りない適切なレイアウトが、上に示したＧＵＩ領域のために指定され得ることは理解されよう。領域に関して表示可能な外観は、（例えば長方形、正方形、円形、三角形、その他といった）様々な幾何学的形状、（例えばＡ、ｖ、ｔ、Ｑ、１、９、１０、その他といった）英数字、（例えば＄、＊、＠、Ω、∞、その他といった）記号、濃淡、（例えば無地、八ッチング、ストライプ、ドット、その他といった）パターン、および色によって定義可能である。
【００３２】
さらに、図５Ａの先行ＧＵＩ領域４０１および他の領域は、省略してもよく、あるいは、動的に指定してもよい。ＧＵＩ領域の位置は、固定にしてもカスタマイズ可能にしてもよいことは理解されよう。加えて、使用される計算装置は、レイアウトの固定された集合を表示しても、レイアウトを定義するために定義されたプロトコルまたは言語を利用してもよく、あるいは、レイアウトを定義する計算装置に外部の構造を報告してもよい。最後に、上記のようにある領域をクリックすることまたは選択することは、本明細書中で論じられた動作の実行を生じさせるコード（Ｃｏｄｅ）をトリガするものであってもよい。
＜システムと媒体＞
【００３３】
図８は、実施形態例に従った計算装置の形態の例におけるマシンのブロック図である。このマシンにおいて、本明細書中で論じられたメソドロジー（方法論）のいずれか一つまたはそれより多くをこのマシンに実行させるために命令の集合が実行されることができる。代替の実施形態では、スタンドアロンのマシンとしてこのマシンは動作する。このマシンが別のマシンに（例えばネットワーク接続で）接続されることも可能である。ネットワーク配置においては、マシンは、サーバ−クライアントネットワーク環境におけるサーバとしてまたはクライアントマシンとして動作することも、ピアツーピア（または分散型）ネットワーク環境におけるピアマシンとしても、動作することが可能である。このマシンは、ケーブルボックス、携帯電話、パーソナルデジタルアシスタント、ビデオ表示装置、デジタルビデオレコーダ、デジタルオーディオプレイヤー、デジタルメディアレシーバー、ゲームコンソール、又は、そのマシンによって取られるべき動作を指定する命令の集合を（逐次的にまたは別の方法で）実行することのできるあらゆるマシンを含むことができる。さらに、マシンとして単一のマシンしか示されていないが、「マシン」という語は、本明細書中で論じられたメソドロジーのどれか一つまたはそれより多くを実行するための命令の一つの集合（または複数の集合）を別々にまたは連携して実行するマシンのいかなる集合体を含むとも解釈するべきものである。
【００３４】
コンピュータシステム８００の形態の例として、マシンは、バス８０８を通して互いに通信する（例えば中央演算装置（ＣＰＵ）および／またはグラフィックプロセッシングユニット（ＧＰＵ）といった）プロセッサ８０２、メインメモリ８０４、および、スタティックメモリ８０６を含む。コンピュータシステム８００は、（例えばプラズマ表示装置、液晶表示装置（ＬＣＤ）、あるいは陰極線管（ＣＲＴ）、その他といった）動画表示ユニット８１０をさらに含んでもよい。コンピュータシステム８００は、（例えばキーボードといった）英数文字入力装置８１２、（例えばマウスといった）ユーザインタフェース（ＵＩ）ナビゲーション装置８１４、ディスクドライブユニット８１６、（例えばスピーカーといった）信号生成装置８１８、およびネットワークインタフェース装置８２０をも含む。
【００３５】
ディスク装置ユニット８１６は、マシン読取り可能な媒体８２２であって、本明細書中で説明されたメソドロジーまたは機能のどれか一つ以上を具体化するまたはこれらによって利用される一つ以上の（例えばソフトウエア８２４といった）命令の集合またはデータ構造が保存された、マシン読取り可能な媒体８２２を含む。ソフトウエア８２４は、コンピュータシステム８００によって実行されている間は、完全にまたは少なくとも部分的に、メインメモリ８０４および／およびまたはプロセッサ８０２内に置かれてもよい。メインメモリ８０４とプロセッサ８０２は、マシン読取り可能な、有形の媒体を含んでもよい。
【００３６】
ソフトウエア８２４は、さらに、（例えばＨＴＴＰといった）数多くある公知の転送プロトコルの任意の一つを使って、ネットワークインタフェース装置８２０を介してネットワーク８２６を通して送信または受信されてもよい。
【００３７】
マシン読取り可能な媒体８２２が実施形態例では単一の媒体として示されているが、「マシン読取り可能な媒体」という語は、一つ以上の命令の集合を保存する単一の媒体または（例えば集中データベースまたは分散データベースおよび／または関連付けられたキャッシュおよびサーバといった）複数の媒体を含むと解釈されるべきである。「マシン読取り可能な媒体」という語はまた、マシンによって実行されるべき命令の集合を保存し、コード化し、または移送することが可能でかつ、マシンに本明細書中で論じられたメソドロジーの一つ以上のいずれかを実施させるあらゆる媒体、または、このような命令の集合に使用されるまたはこれに関連付けられたデータ構造を保存し、コード化し、または移送することのできるあらゆる媒体を含んでいるとも解釈するべきである。「マシン読取り可能な媒体」という語は、従って、固体メモリ、光学媒体、磁気媒体およびその他の媒体を含み、これらに限定されない、と解釈されよう。
【００３８】
特定の実施形態例を記述してきたが、本発明のより広い範囲から逸脱することなく様々な修正および変更がこれらの実施形態に加えることが可能であることは明らかであろう。従って、明細書および図面は、限定の意味にでなく、むしろ例示的と、解釈されるべきである。
【００３９】
技術的開示の性質を読み手が短時間で確認することができる要約を要求する米国特許規則１．７２（ｂ）に適うべく、開示の要約が提供される。この要約は、請求項の範囲または意味を解釈するためまたは限定するためには使用されないという理解に基づき提出される。加えて、先述の詳細な説明においては、開示を能率的にするために一つの実施形態に様々な特徴がまとめられていることが見て取れるはずである。こうした開示の仕方は、一つ一つの請求項に明示的に記載された特徴よりも多くの特徴がなければ請求の対象となる実施形態には該当しないという意図を反映するものと解釈されるべきものではない。むしろ、添付の請求項に示されるように、一つの開示された実施形態の全ての特徴がそろわなくても発明の主題に該当する。従って、添付の請求項は、これら請求項の一つ一つが別個の実施形態として独立した形で、詳細な説明に組み込まれるものである。
【図１】
2010538579.tif 000003
【図６Ｃ】
2010538579.tif 000004
【図２】
2010538579.tif 000005
【図３Ａ】
2010538579.tif 000006
【図３Ｂ】
2010538579.tif 000007
【図４Ａ】
2010538579.tif 000008
【図４Ｂ】
2010538579.tif 000009
【図５Ａ】
2010538579.tif 000010
【図５Ｂ】
2010538579.tif 000011
【図６Ａ】
2010538579.tif 000012
【図６Ｂ】
2010538579.tif 000013
【図７Ａ】
2010538579.tif 000014
【図７Ｂ】
2010538579.tif 000015
【図８】
2010538579.tif 000016
【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
コンピュータによって実施される方法であって、
バナーインタフェース領域に対する第一の要求を受領すること、
対応するグラフィック的に拡張可能な複数の動画機能へマッピングする複数のグラフィカルユーザインタフェースを含む前記バナーインタフェース領域を、動画コンテンツと共に生成すること、
前記グラフィック的に拡張可能な複数の動画機能のうちの選択された一つにアクセスするための第二の要求を受領すること、および
前記グラフィック的に拡張可能な複数の動画機能のうちの前記選択された一つを実行することを含む、方法。
【請求項２】
請求項１の方法であって、さらに、
遠隔制御装置またはゲームコントローラ装置のうちの一つから前記第一の要求を受領すること、を含む方法。
【請求項３】
請求項１の方法であって、さらに、
前記複数のグラフィカルユーザインタフェースを、メインのグラフィカルユーザインタフェース領域および副次的なグラフィカルユーザインタフェース領域の集合として生成することを含む、方法。
【請求項４】
請求項１の方法であって、さらに、
前記複数のグラフィカルユーザインタフェースを、前記バナーインタフェース領域の境界の少なくとも一つの内側に、または、前記バナーインタフェース領域の境界の付近に、生成すること、を含む方法。
【請求項５】
請求項１の方法であって、さらに、
前記複数のグラフィカルユーザインタフェースのうちのいくつかを、アイコンまたは機能に従って名づけられたタブのうちの一つとして、生成することを含む、方法。
【請求項６】
請求項１の方法であって、さらに、
前記グラフィカルユーザインタフェースのうちのいくつかを、動きを与えられたアイコンまたはタブとして、生成すること、を含む方法。
【請求項７】
請求項１の方法であって、さらに、
前記複数のグラフィカルユーザインタフェースのうちのいくつかを、視聴者機能またはシステム機能のうちの少なくとも一つとして生成することを含む、方法。
【請求項８】
請求項７の方法であって、
前記視聴者機能は、番組検索機能、先行番組機能、局関連番組リスト、または録画番組リストのうちの少なくとも一つ、を含む方法。
【請求項９】
請求項７の方法であって、
前記システム機能は、プロファイル設定、プロファイル編集、装置オプション設定、または装置オプション編集のうちの少なくとも一つ、を含む方法。
【請求項１０】
請求項１の方法であって、さらに、
前記グラフィック的に拡張可能な複数の動画機能のうちの前記選択された一つの実行に応じて、追加のグラフィック的に拡張可能な動画機能の実行をトリガすることを含む、方法。
【請求項１１】
請求項１の方法であって、前記動画コンテンツと共に行われる前記バナーインタフェース領域の生成することはさらに、
前記動画コンテンツと前記バナーインタフェース領域とを交互に生成し、前記動画コンテンツと前記バナーインタフェース領域は同時に生成しないこと、を含む方法。
【請求項１２】
システムであって、
動画コンテンツを表示するための表示装置、及び
前記表示装置と通信可能に接続された計算装置であって、対応するグラフィック的に拡張可能な複数の動画機能にマッピングする複数のグラフィカルユーザインタフェースを含むバナーインタフェース領域に対する第一の要求を受領し、前記バナーインタフェース領域を動画コンテンツと共に前記表示装置上に生成する、前記グラフィック的に拡張可能な複数の動画機能のうちの選択された一つにアクセスするための第二の要求を受領する、および、前記グラフィック的に拡張可能な複数の動画機能のうちの前記選択された一つを実行する計算装置、を含むシステム。
【請求項１３】
請求項１２のシステムであって、さらに、
前記第一の要求および前記第二の要求を開始する遠隔制御装置、を含むシステム。
【請求項１４】
請求項１３のシステムであって、
前記複数のグラフィカルユーザインタフェースは、前記遠隔制御装置の対応する複数のキーと直接的に関連付けられているシステム。
【請求項１５】
請求項１２のシステムであって、
前記計算装置はクライアントおよびサーバのうちの一つ、を含むシステム。
【請求項１６】
請求項１２のシステムであって、
前記計算装置は携帯電話およびセットトップボックスのうちの一つを含むシステム。
【請求項１７】
一以上のプロセッサによって実行された場合に、前記一つ以上のプロセッサに方法を実行させる命令を有するマシン読取り可能な媒体であって、前記方法は、
バナーインタフェース領域に対する第一の要求を受領すること、
対応するグラフィック的に拡張可能な複数の動画機能にマッピングする複数のグラフィカルユーザインタフェースを含む前記バナーインタフェース領域を動画コンテンツと共に生成すること、
前記グラフィック的に拡張可能な複数の動画機能のうちの選択された一つにアクセスするための第二の要求を受領すること、および
前記グラフィック的に拡張可能な複数の動画機能のうちの前記選択された一つを実行することを含む方法である媒体。
【請求項１８】
請求項１７の媒体であって、
前記バナーインタフェース領域の外観は、前記第一の要求および複数の前記第二の要求を使ってカスタマイズ可能である媒体。
【請求項１９】
請求項１７の媒体であって、前記方法はさらに、
前記複数のグラフィカルユーザインタフェースのうちの一つを番組検索グラフィカルユーザインタフェースとして生成すること、および
前記番組検索グラフィカルユーザインタフェースの選択を受領したことに応じて、新しい検索、お気に入りの検索、および最近の検索を含むリストを生成することを含む方法である媒体。
【請求項２０】
請求項１７の媒体であって、前記方法はさらに、
前記複数のグラフィカルユーザインタフェースのうちの一つを番組検索グラフィカルユーザインタフェースとして生成すること、および
前記番組検索グラフィカルユーザインタフェースの選択の受領に応じて、検索要求の一部として入力されるべき選択可能な文字の集まりを生成することを含む方法である媒体。
【請求項２１】
請求項１７の媒体であって、前記方法は、
前項複数のグラフィカルユーザインタフェースのうちの一つを先行番組グラフィカルユーザインタフェースとして生成すること、および
先行上映番組、前記動画コンテンツに関連付けられた先行上映番組、放送局に関連付けられた先行上映番組、または番組視聴者と関連付けられた先行上映番組のリストを、前記先行番組グラフィカルユーザインタフェースの選択の受領に応じて生成すること、を含む方法である媒体。
【国際調査報告】
2010538579.tif 000017